(57)【要約】  搬送波を選択する方法及びその方法をサポートする装置が提供される。  本発明の一実施形態によると、無線通信システムにおいて搬送波を選択する方法は、ネットワークから搬送波及びチャネル混雑度（ＣＢＲ）臨界値に関する情報を受信するステップと、ＣＢＲ値が前記ＣＢＲ臨界値未満である少なくとも１つの搬送波を選択するステップと、前記選択された搬送波上のリソースを選択するステップと、前記選択された搬送波の前記選択されたリソースを利用して媒体アクセス制御（ＭＡＣ）パケットデータユニット（ＰＤＵ）を送信するステップとを含む。
2020529158.tif 000002
【特許請求の範囲】
【請求項１】
無線通信システムにおいてユーザ端末（ＵＥ）により搬送波を選択する方法であって、
ネットワークから搬送波及びチャネル混雑度（ＣＢＲ）臨界値に関する情報を受信するステップと、
ＣＢＲ値が前記ＣＢＲ臨界値未満である少なくとも１つの搬送波を選択するステップと、
前記選択された搬送波上のリソースを選択するステップと、
前記選択された搬送波の前記選択されたリソースを利用して媒体アクセス制御（ＭＡＣ）パケットデータユニット（ＰＤＵ）を送信するステップとを含むことを特徴とする、搬送波を選択する方法。
【請求項２】
前記ＭＡＣ  ＰＤＵは、サイドリンク送信と関連していることを特徴とする、請求項１に記載の搬送波を選択する方法。
【請求項３】
前記ネットワークにより指示された前記搬送波のＣＢＲ値を測定するステップをさらに含むことを特徴とする、請求項１に記載の搬送波を選択する方法。
【請求項４】
前記ネットワークから前記ネットワークにより指示された前記搬送波のＣＢＲ値を受信するステップをさらに含むことを特徴とする、請求項１に記載の搬送波を選択する方法。
【請求項５】
前記ＣＢＲ臨界値は、ＵＥ、セル、搬送波、又は周波数帯域ごとに提供されることを特徴とする、請求項１に記載の搬送波を選択する方法。
【請求項６】
前記少なくとも１つの搬送波は、受信及び送信のために分離される結合搬送波であることを特徴とする、請求項１に記載の搬送波を選択する方法。
【請求項７】
送信に利用可能なデータの量に基づいてどれだけ多くの搬送波が選択されるかを決定するステップをさらに含むことを特徴とする、請求項１に記載の搬送波を選択する方法。
【請求項８】
選択されることと決定された搬送波の数が、ＣＢＲ値が前記ＣＢＲ臨界値より低い搬送波の数より大きい場合、ＣＢＲ値が前記ＣＢＲ臨界値より大きい搬送波のうち少なくとも１つの追加搬送波を選択するステップをさらに含むことを特徴とする、請求項７に記載の搬送波を選択する方法。
【請求項９】
前記少なくとも１つの追加搬送波を選択するステップは、前記追加搬送波のＣＢＲ値の順に前記少なくとも１つの追加搬送波を選択するステップを含むことを特徴とする、請求項８に記載の搬送波を選択する方法。
【請求項１０】
無線通信システムのユーザ端末（ＵＥ）であって、
無線信号を送信又は受信するための送受信機と、
前記送受信機に接続されたプロセッサとを含み、
前記プロセッサは、
ネットワークから搬送波及びチャネル混雑度（ＣＢＲ）臨界値に関する情報を受信し、
ＣＢＲ値が前記ＣＢＲ臨界値未満である少なくとも１つの搬送波を選択し、
前記選択された搬送波上のリソースを選択し、
前記選択された搬送波の前記選択されたリソースを利用して媒体アクセス制御（ＭＡＣ）パケットデータユニット（ＰＤＵ）を送信することを含んで構成されることを特徴とする、ユーザ端末。
【請求項１１】
前記ＭＡＣ  ＰＤＵは、サイドリンク送信と関連していることを特徴とする、請求項１０に記載のユーザ端末。
【請求項１２】
前記プロセッサは、前記ネットワークにより指示された前記搬送波のＣＢＲ値を測定することをさらに含んで構成されることを特徴とする、請求項１０に記載のユーザ端末。
【請求項１３】
前記プロセッサは、前記ネットワークから前記ネットワークにより指示された前記搬送波のＣＢＲ値を受信することをさらに含んで構成されることを特徴とする、請求項１０に記載のユーザ端末。
【請求項１４】
前記ＣＢＲ臨界値は、ＵＥ、セル、搬送波、又は周波数帯域ごとに提供されることを特徴とする、請求項１０に記載のユーザ端末。
【請求項１５】
前記少なくとも１つの搬送波は、受信及び送信のために分離される結合搬送波であることを特徴とする、請求項１０に記載のユーザ端末。
【発明の詳細な説明】
【技術分野】
【０００１】
本発明は、無線通信システムに関し、より詳細には、搬送波を選択する方法及びこれをサポートする装置に関する。
【背景技術】
【０００２】
４Ｇ（４ｔｈ−Ｇｅｎｅｒａｔｉｏｎ）通信システム商用化以後、増加する無線データトラフィック需要を満たすために、改善された５Ｇ（５ｔｈ−Ｇｅｎｅｒａｔｉｏｎ）通信システム又はｐｒｅ−５Ｇ通信システムを開発するための努力が行われている。３ＧＰＰは、５世代移動通信規格作業のための標準活動を本格的に開始し、仮称としてＮＲ（Ｎｅｗ  Ｒａｄｉｏ  ａｃｃｅｓｓ）で表示して標準化作業グループ（Ｗｏｒｋｉｎｇ  Ｇｒｏｕｐ）において議論が進行中である。
【０００３】
一方、上位層規格（ＲＲＣ）は、端末の動作状態を一貫性を持って管理するために、プロトコル状態を定義して端末の機能及び手順を細部的に示す。ＮＲ標準化議論において、ＲＲＣ状態はＲＲＣ＿接続（ＲＲＣ＿Ｃｏｎｎｅｃｔｅｄ）状態とＲＲＣ＿アイドル（ＲＲＣ＿Ｉｄｌｅ）状態を基本として定義し、追加でＲＲＣ＿非活性（ＲＲＣ＿Ｉｎａｃｔｉｖｅ）状態を導入することについて議論している。
【０００４】
一方、サイドリンク（ＳＬ）は、ＰｒｏＳｅ直接通信及びＰｒｏＳｅ直接発見のための端末対端末（ＵＥ  ｔｏ  ＵＥ）インタフェースである。サイドリンクは、ＵＥ間のＰｒｏＳｅ直接発見及びＰｒｏＳｅ直接通信を含む。サイドリンクは、ＵＬ送信に類似したＵＬリソース及び物理チャネル構造を利用する。サイドリンク送信は、ＵＬ送信方式と同一の基本送信方式を利用する。しかしながら、サイドリンクは、全てのサイドリンク物理チャネルに対する単一クラスタ送信に制限される。また、サイドリンクは、各サイドリンクサブフレームの終端に位置する１つのシンボルギャップを利用する。
【発明の概要】
【発明が解決しようとする課題】
【０００５】
従来技術によると、ＵＥは、混雑搬送波上で並列サイドリンク送信を行うことができ、これにより、その搬送波上での混雑度が増加することがある。
【課題を解決するための手段】
【０００６】
本発明の一実施形態によると、無線通信システムにおいてユーザ端末（ＵＥ）により搬送波を選択する方法が提供される。搬送波を選択する方法は、ネットワークから搬送波及びチャネル混雑度（ＣＢＲ）臨界値に関する情報を受信するステップと、ＣＢＲ値が前記ＣＢＲ臨界値未満である少なくとも１つの搬送波を選択するステップと、前記選択された搬送波上のリソースを選択するステップと、前記選択された搬送波の前記選択されたリソースを用いて媒体アクセス制御（ＭＡＣ）パケットデータユニット（ＰＤＵ）を送信するステップとを含む。
【０００７】
前記ＭＡＣ  ＰＤＵは、サイドリンク送信と関連する。
【０００８】
前記方法は、前記ネットワークにより指示された前記搬送波のＣＢＲ値を測定するステップをさらに含んでもよい。
【０００９】
前記方法は、前記ネットワークから前記ネットワークにより指示された前記搬送波のＣＢＲ値を受信するステップをさらに含んでもよい。
【００１０】
前記ＣＢＲ臨界値は、ＵＥ、セル、搬送波、又は周波数帯域ごとに提供されてもよい。
【００１１】
前記少なくとも１つの搬送波は、受信及び送信のために分離される結合搬送波であり得る。
【００１２】
前記方法は、送信に利用可能なデータの量に基づいてどれだけ多くの搬送波が選択されるかを決定するステップをさらに含んでもよい。
【００１３】
前記方法は、選択されることと決定された搬送波の数が、ＣＢＲ値が前記ＣＢＲ臨界値より低い搬送波の数より大きい場合、ＣＢＲ値が前記ＣＢＲ臨界値より大きい搬送波のうち少なくとも１つの追加搬送波を選択するステップをさらに含んでもよい。
【００１４】
前記少なくとも１つの追加搬送波を選択する段階は、前記追加搬送波のＣＢＲ値の順に前記少なくとも１つの追加搬送波を選択するステップを含んでもよい。
【００１５】
本発明の一実施形態によると、無線通信システムのユーザ端末（ＵＥ）が提供される。前記ＵＥは、無線信号を送信又は受信するための送受信機と、前記送受信機に接続されたプロセッサとを含み、前記プロセッサは、ネットワークから搬送波及びチャネル混雑度（ＣＢＲ）臨界値に関する情報を受信する機能と、ＣＢＲ値が前記ＣＢＲ臨界値未満である少なくとも１つの搬送波を選択する機能と、前記選択された搬送波上のリソースを選択する機能と、前記選択された搬送波の前記選択されたリソースを用いて媒体アクセス制御（ＭＡＣ）パケットデータユニット（ＰＤＵ）を送信する機能とを含んで構成される。
【００１６】
前記ＭＡＣ  ＰＤＵは、サイドリンク送信と関連する。
【００１７】
前記ＵＥは、前記ネットワークにより指示された前記搬送波のＣＢＲ値を測定する機能をさらに含んで構成される。
【００１８】
前記ＵＥは、前記ネットワークから前記ネットワークにより指示された前記搬送波のＣＢＲ値を受信する機能をさらに含んで構成される。
【００１９】
前記ＣＢＲ臨界値は、ＵＥ、セル、搬送波、又は周波数帯域ごとに提供される。
【００２０】
前記少なくとも１つの搬送波は、受信及び送信のために分離される結合搬送波であり得る。
【発明の効果】
【００２１】
本発明の実施形態によると、ＵＥは、結合搬送波を利用してサイドリンク送信を行うことができる。
【図面の簡単な説明】
【００２２】
【図１】ＬＴＥシステムアーキテクチャを示す。
【図２】ＬＴＥシステムの制御プレーンプロトコルスタックのブロック図を示す。
【図３】ＬＴＥシステムのユーザプレーンプロトコルスタックのブロック図を示す。
【図４】５Ｇシステムの構造を示す。
【図５】本発明の一実施形態による搬送波を選択する方法のフローチャートを示す。
【図６】本発明の一実施形態による搬送波を選択する方法の例を示す。
【図７】本発明の一実施形態による搬送波を選択する方法の例を示す。
【図８】本発明の一実施形態による搬送波を選択する方法のフローチャートを示す。
【図９】本発明の一実施形態を実現するための通信システムを示す。
【発明を実施するための形態】
【００２３】
以下に説明される技術的な特徴は、３世代パートナーシッププロジェクト（３ＧＰＰ）標準化機構による通信標準、電気及び電子エンジニア協会（ＩＥＥＥ）による通信標準などにおいて利用できる。例えば、３ＧＰＰ標準化機構による通信標準は、ＬＴＥ（ｌｏｎｇ−ｔｅｒｍ  ｅｖｏｌｕｔｉｏｎ）システム及び／又はＬＴＥシステムの進化を含む。ＬＴＥシステムの進化には、ＬＴＥ−Ａ（ＬＴＥ−Ａｄｖａｎｃｅｄ）、ＬＴＥ−Ａ  Ｐｒｏ、及び／又は５Ｇ  ＮＲ（Ｎｅｗ  Ｒａｄｉｏ）が含まれる。ＩＥＥＥ標準化機構による通信標準には、ＩＥＥＥ  ８０２．１１ａ／ｂ／ｇ／ｎ／ａｃ／ａｘだどの無線近距離通信ネットワーク（ＷＬＡＮ）システムが含まれる。前記システムは、ダウンリンク（ＤＬ）及び／又はアップリンク（ＵＬ）のための直交周波数分割多重アクセス（ＯＦＤＭＡ）及び／又は単一の搬送波周波数分割多重アクセス（ＳＣ−ＦＤＭＡ）などの多様な多重アクセス技術を利用する。例えば、ＤＬのためにＯＦＤＭＡのみが利用されることもあり、ＵＬのためにＳＣ−ＦＤＭＡのみが利用されることもある。または、ＯＦＤＭＡ及びＳＣ−ＦＤＭＡは、ＤＬ及び／又はＵＬのために利用されることもある。
【００２４】
図１は、本発明の技術的特徴が適用できる無線通信システムの例を示す。具体的に、図１は、進化したＵＭＴＳ地上無線アクセスネットワーク（Ｅ−ＵＴＲＡＮ）に基づいたシステムアーキテクチャを示す。前述したＬＴＥは、Ｅ−ＵＴＲＡＮを利用する進化したＵＴＭＳ（ｅ−ＵＭＴＳ）の一部である。
【００２５】
図１に示すように、無線通信システムは、１つ以上のユーザ端末（ＵＥ）１０と、Ｅ−ＵＴＲＡＮ及び進化したパケットコア（ＥＰＣ）とを含む。ＵＥ１０は、ユーザが携帯する通信機器を示す。ＵＥ１０は固定されるか、移動性を有し、移動局（ＭＳ）、ユーザ端末（ＵＴ）、加入者局（ＳＳ）、無線装置などの他の用語と呼ばれてもよい。
【００２６】
Ｅ−ＵＴＲＡＮは、１つ以上の基地局（ＢＳ）２０で構成される。ＢＳ２０は、Ｅ−ＵＴＲＡユーザプレーン及び制御プレーンプロトコル終端をＵＥ１０に提供する。ＢＳ２０は、一般的に、ＵＥ１０と通信する固定局である。ＢＳ２０は、セル間の無線リソース管理（ＭＭＥ）、無線ベアラ（ＲＢ）制御、接続移動性制御、無線承認制御、測定設定／提供、動的リソース割り当て（スケジューラ）などの機能をホストする。前記ＢＳは、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｙｓｔｅｍ）、ＡＰ（Ａｃｃｅｓｓ  Ｐｏｉｎｔ）などの他の用語と呼ばれてもよい。
【００２７】
ダウンリンク（ＤＬ）は、ＢＳ２０からＵＥ１０への通信を意味する。アップリンク（ＵＬ）は、ＵＥ１０からＢＳ２０への通信を意味する。サイドリンク（ＳＬ）は、ＵＥ１０間の通信を意味する。ＤＬにおいて、送信機はＢＳ２０の一部であり得るし、受信機はＵＥ１０の一部であり得る。ＵＬにおいて、送信機はＵＥ１０の一部であり得るし、受信機はＢＳ２０の一部であり得る。ＳＬにおいて、送信機及び受信機はＵＥ１０の一部であり得る。
【００２８】
ＥＰＣは、移動性管理エンティティ（ＭＭＥ）、サービングゲートウェイ（Ｓ−ＧＷ）及びパケットデータネットワーク（ＰＤＮ）ゲートウェイ（Ｐ−ＧＷ）を含む。ＭＭＥは、ＮＡＳ（Ｎｏｎ−Ａｃｃｅｓｓ  Ｓｔｒａｔｕｍ）セキュリティ、アイドル状態移動性処理、ＥＰＳ（Ｅｖｏｌｖｅｄ  Ｐａｃｋｅｔ  Ｓｙｓｔｅｍ）ベアラ制御などの機能をホストする。Ｓ−ＧＷは、移動性アンカリングなどの機能をホストする。前記Ｓ−ＧＷは、エンドポイントであるＥ−ＵＴＲＡＮを含むゲートウェイである。便宜上、ＭＭＥ／Ｓ−ＧＷ３０は、簡単に「ゲートウェイ」と表現するが、このエンティティは前記ＭＭＥ及び前記Ｓ−ＧＷを全て含むものと理解される。Ｐ−ＧＷは、ＵＥインターネットプロトコル（ＩＰ）アドレス割り当て、パケットフィルタリングなどの機能をホストする。前記Ｐ−ＧＷは、エンドポイントであるＰＤＮを含むゲートウェイである。前記Ｐ−ＧＷは、外部ネットワークに接続されている。
【００２９】
ＵＥ１０は、ＵｕインタフェースによりＢＳ２０に接続される。ＵＥ１０は、ＰＣ５のインタフェースにより互いに接続される。ＢＳ２０は、Ｘ２インタフェースにより互いに接続される。ＢＳ２０は、Ｓ１インタフェースにより前記ＥＰＣにも接続され、より具体的には、Ｓ１−ＭＭＥインタフェースにより前記ＭＭＥに接続され、Ｓ１−ＵインタフェースによりＳ−ＧＷに接続される。前記Ｓ１インタフェースは、前記ＭＭＥと前記Ｓ−ＧＷとの間及び前記ＭＭＥと前記ＢＳとの間の多対多関係をサポートする。
【００３０】
図２は、本発明の技術的特徴が適用できる無線通信システムの他の例を示す。具体的に、図２は、５Ｇ  ＮＲ（ｎｅｗ  ｒａｄｉｏ）アクセス技術システムに基づいたシステムアーキテクチャを示す。５Ｇ  ＮＲシステムにおいて利用されるエンティティ（以下、簡単に「ＮＲ」という。）は、図１に導入されたエンティティ（例えば、ｅＮＢ、ＭＭＥ、Ｓ−ＧＷ）の機能の一部又は全部を吸収することができる。ＮＲシステムにおいて利用されるエンティティは、ＬＴＥ／ＬＴＥ−Ａと区別するために「ＮＧ」という名で識別できる。
【００３１】
図２に示すように、無線通信システムは、１つ以上のＵＥ１１、次世代ＲＡＮ（ＮＧ−ＲＡＮ）及び５世代コアネットワーク（５ＧＣ）を含む。前記ＮＧ−ＲＡＮは、１つ以上のＮＧ−ＲＡＮノードで構成される。前記ＮＧ−ＲＡＮノードは、図１に示すＢＳ2０に対応するエンティティである。前記ＮＧ−ＲＡＮノードは、１つ以上のｇＮＢ２１及び／又は１つ以上のｎｇ−ｅＮＢ２２で構成される。ｇＮＢ２１は、ＮＲユーザプレーン及び制御プレーンプロトコル終端をＵＥ１１に提供する。ｎｇ−ｅＮＢ２２は、Ｅ−ＵＴＲＡユーザプレーン及び制御プレーンプロトコル終端をＵＥ１１に提供する。
【００３２】
５ＧＣは、アクセス及び移動性管理機能（ＡＭＦ）、ユーザプレーン機能（ＵＰＦ）及びセッション管理機能（ＳＭＦ）を含む。前記ＡＭＦは、ＮＡＳセキュリティ、アイドル状態移動性処理などの機能をホストする。前記ＡＭＦは、従来のＭＭＥの機能を含むエンティティである。前記ＵＰＦは、移動性アンカリング、ＰＤＵ（Ｐｒｏｔｏｃｏｌ  Ｄａｔａ  Ｕｎｉｔ）処理などの機能をホストする。前記ＵＰＦは、従来のＳ−ＧＷの機能を含むエンティティである。前記ＳＭＦは、ＵＥ  ＩＰアドレス割り当て、ＰＤＵセッション制御などの機能をホストする。
【００３３】
前記ｇＮＢと前記ｎｇ−ｅＮＢは、Ｘｎインタフェースにより互いに接続される。前記ｇＮＢ及び前記ｎｇ−ｅＮＢは、ＮＧインタフェースにより５ＧＣにも接続され、より具体的に、ＮＧ−Ｃインタフェースにより前記ＡＭＦに接続され、ＮＧ−Ｕインタフェースにより前記ＵＰＦに接続される。
【００３４】
前述したネットワークエンティティ間のプロトコル構造を説明する。図１及び／又は図２のシステムにおいて、前記ＵＥと前記ネットワーク（例えば、ＮＧ−ＲＡＮ及び／又はＥ−ＵＴＲＡＮ）間の無線インタフェースプロトコルの層は、通信システムにおいてよく知られている開放型システム間相互接続（ＯＳＩ）モデルの下位３つの層をベースにして第１層（Ｌ１）、第２層（Ｌ２）及び第３層（Ｌ３）に分類される。
【００３５】
図３は、本発明の技術的特徴が適用できるユーザプレーンプロトコルスタックのブロック図を示す。図４は、本発明の技術的特徴が適用できる制御プレーンプロトコルスタックのブロック図を示す。図３及び図４に示すユーザ／制御プレーンプロトコルスタックがＮＲにおいて利用される。しかしながら、図３及び図４に示すユーザ／制御プレーンプロトコルスタックは、ｇＮＢ／ＡＭＦをｅＮＢ／ＭＭＥに代替することにより一般性の損失なしにＬＴＥ／ＬＴＥ−Ａにおいて利用できる。
【００３６】
図３及び図４に示すように、物理層（ＰＨＹ）はＬ１に属する。前記ＰＨＹ層は、媒体アクセス制御（ＭＡＣ）サブ層及びその上位層に情報送信サービスを提供する。前記ＰＨＹ層は、前記ＭＡＣサブ層に送信チャネルを提供する。前記ＭＡＣサブ層と前記ＰＨＹ層間のデータは送信チャネルを介して送信される。相異なるＰＨＹ層間、すなわち、送信側のＰＨＹ層と受信側のＰＨＹ層との間において、データは物理チャネルを介して送信される。
【００３７】
前記ＭＡＣサブ層はＬ２に属する。前記ＭＡＣサブ層の主要サービス及び機能は、論理チャネルと送信チャネルとの間のマッピング、送信チャネル上の物理階層に／から送信される送信ブロック（ＴＢ）に対する１つ又は他の論理チャネルに属するＭＡＣサービスデータユニット（ＳＤＵ）のマルチプレクシング／デマルチプレクシング、スケジューリング情報報告、ＨＡＲＱ（ｈｙｂｒｉｄ  ａｕｔｏｍａｔｉｃ  ｒｅｐｅａｔ  ｒｅｑｕｅｓｔ）によるエラー訂正、動的スケジューリングによるＵＥ間の優先順位処理、ＬＣＰ（ｌｏｇｉｃａｌ  ｃｈａｎｎｅｌ  ｐｒｉｏｒｉｔｉｚａｔｉｏｎ）による１つのＵＥの論理チャネル間の優先順位処理などを含む。前記ＭＡＣサブ層は、ＲＬＣ（ｒａｄｉｏ  ｌｉｎｋ  ｃｏｎｔｒｏｌ）サブ層に論理チャネルを提供される。
【００３８】
前記ＲＬＣサブ層はＬ２に属する。前記ＲＬＣサブ層は、無線ベアラにより要求される多様なサービス品質（ＱｏＳ）を保障するために３つの送信モード、すなわち、送信モード（ＴＭ）、非確認（ＵＭ）及び確認モード（ＡＭ）をサポートする。前記ＲＬＣサブ層の主要サービス及び機能は送信モードに応じて異なる。例えば、ＲＬＣサブ層は、３つのモード全てに対して上位層ＰＤＵの送信を提供するが、ＡＭに対してのみＡＲＱによるエラー訂正を提供する。ＬＴＥ／ＬＴＥ−Ａにおいて、前記ＲＬＣサブ層は、ＲＬＣ  ＳＤＵの連接、断片化及び再組立（ＵＭ及びＡＭデータ送信専用）及びＲＬＣデータＰＤＵの再断片化（ＡＭデータ送信専用）を提供する。ＮＲにおいて、前記ＲＬＣサブ層は，ＲＬＣ  ＳＤＵの断片化（ＡＭ及びＵＭに対してのみ）及び再断片化（ＡＭに対してのみ）と、ＳＤＵの再組立（ＡＭ及びＵＭ専用）を提供する。すなわち、ＮＲは、ＲＬＣ  ＳＤＵの連接をサポートしない。前記ＲＬＣサブ層は、ＰＤＣＰ（Ｐａｃｋｅｔ  Ｄａｔａ  Ｃｏｎｖｅｒｇｅｎｃｅ  Ｐｒｏｔｏｃｏｌ）サブ層にＲＬＣチャネルを提供する。
【００３９】
前記ＰＤＣＰサブ層はＬ２に属する。ユーザプレーンのための前記ＰＤＣＰサブ層の主要サービス及び機能は、ヘッダ圧縮及び圧縮解除、ユーザデータの送信、複製検出、ＰＤＣＰ  ＰＤＵルーティング、ＰＤＣＰ  ＳＤＵの再送信、暗号化及び解読などを含む。制御プレーンのための前記ＰＤＣＰサブ層の主要サービス及び機能は暗号化及び無欠性保護、制御プレーンデータの送信などを含む。
【００４０】
サービスデータ適応プロトコル（ＳＤＡＰ）サブ層はＬ２に属する。前記ＳＤＡＰサブ層はユーザプレーンにおいてのみ定義される。前記ＳＤＡＰサブ層はＮＲに対してのみ定義される。ＳＤＡＰの主要サービス及び機能は、ＱｏＳフローとＤＲＢ（Ｄａｔａ  Ｒａｄｉｏ  Ｂｅａｒｅｒ）間のマッピング、ＤＬ及びＵＬパケットの両方ともにおいてＱｏＳフローＩＤ（ＱＦＩ）マーキングを含む。前記ＳＤＡＰサブ層は５ＧＣ  ＱｏＳフローを提供する。
【００４１】
ＲＲＣ（Ｒａｄｉｏ  Ｒｅｓｏｕｒｃｅ  Ｃｏｎｔｒｏｌ）層はＬ３に属する。前記ＲＲＣ層は、制御プレーンにおいてのみ定義される。前記ＲＲＣ層は、前記ＵＥと前記ネットワークとの間の無線リソースを制御する。このために、前記ＲＲＣ層は、前記端末と前記基地局間にＲＲＣメッセージを交換する。前記ＲＲＣ層の主要サービス及び機能は、ＡＳ及びＮＡＳに関するシステム情報の放送と、前記ＵＥと前記ネットワーク間のＲＲＣ接続のページング、確立、維持、及び解除と、キー管理及び無線ベアラの確立、設定、維持、及び解除を含むセキュリティ機能と、移動性機能と、ＱｏＳ管理機能と、ＵＥ測定報告及びその報告の制御と、ＮＡＳとＵＥ間にＮＡＳメッセージ送信とを含む。
【００４２】
すなわち、前記ＲＲＣ層は、無線ベアラの設定、再設定、及び解除と関連して論理チャネル、送信チャネル及び物理チャネルを制御する。無線ベアラは、ＵＥとネットワークとの間のデータ送信のためにＬ１（ＰＨＹ層）及びＬ２（ＭＡＣ／ＲＬＣ／ＰＤＣＰ／ＳＤＡＰサブ層）により提供される論理経路を意味する。無線ベアラを設定することは、特定サービスを提供するための無線プロトコル層及びチャネルの特性を定義し、それぞれの特定パラメータ及び動作方法を設定することを意味する。無線ベアラは、ＳＲＢ（Ｓｉｇｎａｌｉｎｇ  ＲＢ）とＤＲＢ（Ｄａｔａ  ＲＢ）に分けられる。前記ＳＲＢは、制御プレーンにおいてＲＲＣメッセージを送信するための経路として利用され、前記ＤＲＢは、ユーザプレーンにおいてユーザデータを送信するための経路として利用される。
【００４３】
ＲＲＣ状態は、前記ＵＥのＲＲＣ層がＥ−ＵＴＲＡＮのＲＲＣ層に論理的に接続されているか否かを示す。ＬＴＥ／ＬＴＥ−Ａにおいて、前記ＵＥのＲＲＣ層とＥ−ＵＴＲＡＮのＲＲＣ層との間にＲＲＣ接続が確立されると、前記ＵＥは、ＲＲＣ接続状態（ＲＲＣ＿ＣＯＮＮＮＥＣＴＥＤ）にあることになる。そうでないと、前記ＵＥは、ＲＲＣアイドル状態（ＲＲＣ＿ＩＤＬＥ）にある。ＮＲにおいて、ＲＲＣ非活性状態（ＲＲＣ＿ＩＮＡＣＴＩＶＥ）が追加で導入される。ＲＲＣ＿ＩＮＡＣＴＩＶＥは、様々な目的で利用されることができる。例えば、大規模マシンタイプ通信（ＭＭＴＣ）のＵＥはＲＲＣ＿ＩＮＡＣＴＩＶＥにおいて効率的に管理されることができる。特定条件が満足されると、前記３つの状態のうち１つから他の状態に遷移が行われる。
【００４４】
前記ＲＲＣ状態に応じて所定の動作が行われる。ＲＲＣ＿ＩＤＬＥにおいて、ＮＡＳにより設定された公衆陸上移動ネットワーク（ＰＬＭＮ）選択、システム情報（ＳＩ）の放送、セル再選択移動性、コアネットワーク（ＣＮ）ページング、及び不連続受信（ＤＲＸ）が行われることがある。前記ＵＥには、追跡領域においてＵＥを固有に識別する識別子（ＩＤ）が割り当てられるべきである。前記基地局には格納されたＲＲＣコンテキストが存在しない。
【００４５】
ＲＲＣ＿ＣＯＮＮＥＣＴＥＤにおいて、前記ＵＥは、前記ネットワーク（すなわち、Ｅ−ＵＴＲＡＮ／ＮＧ−ＲＡＮ）とＲＲＣ接続を有する。ネットワーク−ＣＮ接続（ＣＰ／ＵＰ両方とも）もＵＥのために確立される。ＵＥ  ＡＳコンテキストは、前記ネットワーク及び前記ＵＥに格納される。前記ＲＡＮは、前記ＵＥが属するセルを知っている。前記ネットワークはＵＥとデータを送受信することができる。測定を含むネットワーク制御移動が行われる。
【００４６】
ＲＲＣ＿ＩＤＬＥにおいて行われる大部分の動作は、ＲＲＣ＿ＩＮＡＣＴＩＶＥにおいて行われることができる。しかしながら、ＲＲＣ＿ＩＤＬＥにおいてのＣＮページングの代わりに、ＲＲＣ＿ＩＮＡＣＴＩＶＥにおいてＲＡＮページングが行われる。言い換えると、ＲＲＣ＿ＩＤＬＥにおいて、モバイル終端（ＭＴ）データに対するページングはコアネットワークにより開始され、ページング領域はコアネットワークにより管理される。ＲＲＣ＿ＩＮＡＣＴＩＶＥにおいて、ページングはＮＧ−ＲＡＮにより開始され、ＲＡＮベース通知領域（ＲＮＡ）はＮＧ−ＲＡＮにより管理される。また、ＲＲＣ＿ＩＤＬＥにおいて、ＮＡＳにより設定されたＣＮページングのためのＤＲＸの代わりに、ＲＡＮページングのためのＤＲＸはＲＲＣ＿ＩＮＡＣＴＩＶＥにおいてＮＧ−ＲＡＮにより設定される。一方、ＲＲＣ＿ＩＮＡＣＴＩＶＥにおいて、ＵＥのために５ＧＣ−ＮＧ−ＲＡＮ接続（ＣＰ／ＵＰ両方とも）が設定され、ＵＥ  ＡＳコンテキストはＮＧ−ＲＡＮと前記ＵＥに格納される。ＮＧ−ＲＡＮは、前記ＵＥが属するＲＮＡを知っている。
【００４７】
ＮＡＳ層は、前記ＲＲＣ層の最上部に位置する。前記ＮＡＳ制御プロトコルは、認証、移動性管理、セキュリティ制御などの機能を行う。
【００４８】
前記物理チャネルは、ＯＦＤＭ処理によって変調され、時間及び周波数を無線リソースとして活用する。前記物理チャネルは、時間領域においての複数の直交周波数分割多重（ＯＦＤＭ）シンボルと周波数領域においての複数のサブ搬送波で構成される。１つのサブフレームは、時間領域においての複数のＯＦＤＭシンボルで構成される。リソースブロックはリソース割り当て単位であり、複数のＯＦＤＭシンボルと複数のサブ搬送波で構成される。また、各サブフレームは、物理ダウンリンク制御チャネル（ＰＤＣＣＨ）、すなわち、Ｌ１／Ｌ２制御チャネルに対応するサブフレームの特定ＯＦＤＭシンボル（例えば、第１ＯＦＤＭシンボル）の特定サブ搬送波を利用することができる。送信時間間隔（ＴＴＩ）は、リソース割り当てのためにスケジューラが利用する基本時間単位である。前記ＴＴＩは、１つ又は複数のスロット単位で定義されることもでき、ミニスロット単位で定義されることもできる。
【００４９】
前記送信チャネルは、無線インタフェースを介してデータが送信される方式と特性に応じて分類される。ＤＬ送信チャネルは、システム情報の送信に利用される放送チャネル（ＢＣＨ）、ユーザトラフィック又は制御信号の送信に利用されるダウンリンク共有チャネル（ＤＬ−ＳＣＨ）、及びＵＥのページングに使用されるページングチャネル（ＰＣＨ）を含む。ＵＬ送信チャネルは、ユーザトラフィック又は制御信号を送信するためのアップリンク共有チャネル（ＵＬ−ＳＣＨ）及びセルに対する初期アクセスのために一般的に利用されるランダムアクセスチャネル（ＲＡＣＨ）を含む。
【００５０】
多様な種類のデータ送信サービスがＭＡＣサブ層により提供される。各論理チャネルタイプは、送信される情報タイプに応じて定義される。論理チャネルは、制御チャネルとトラフィックチャネルの２つのグループに分類される。
【００５１】
制御チャネルは、制御プレーン情報の送信にのみ利用される。前記制御チャネルは、放送制御チャネル（ＢＣＣＨ）、ページング制御チャネル（ＰＣＣＨ）、共通制御チャネル（ＣＣＣＨ）及び専用制御チャネル（ＤＣＣＨ）を含む。前記ＢＣＣＨは、放送システム制御情報のためのＤＬチャネルである。前記ＰＣＣＨは、ページング情報及びシステム情報の変更通知を送信するＤＬチャネルである。前記ＣＣＣＨは、ＵＥとネットワーク間に制御情報を送信するためのチャネルである。このチャネルは、前記ネットワークとＲＲＣ接続されていないＵＥのために利用される。前記ＤＣＣＨは、ＵＥとネットワーク間で専用制御情報を送信するポイントツーポイント双方向チャネルである。このチャネルは、ＲＲＣ接続されたＵＥにより利用される。
【００５２】
トラフィックチャネルは、ユーザプレーン情報送信にのみ利用される。前記トラフィックチャネルは専用トラフィックチャネル（ＤＴＣＨ）を含む。前記ＤＴＣＨは、ユーザ情報の送信のための１つのＵＥ専用のポイントツーポイントチャネルである。前記ＤＴＣＨは、ＵＬとＤＬの両方ともに存在することができる。
【００５３】
論理チャネルと送信チャネルとの間のマッピングに関して、ＤＬにおいて、ＢＣＣＨはＢＣＨにマッピングされ、ＢＣＣＨはＤＬ−ＳＣＨにマッピングされ、ＰＣＣＨはＰＣＨにマッピングされ、ＣＣＣＨはＤＬ−ＳＣＨにマッピングされ、ＤＣＣＨはＤＬ−ＳＣＨにマッピングされ、ＤＴＣＨはＤＬ−ＳＣＨにマッピングされることができる。ＵＬにおいて、ＣＣＣＨはＵＬ−ＳＣＨにマッピングされ、ＤＣＣＨはＵＬ−ＳＣＨにマッピングされ、ＤＴＣＨはＵＬ−ＳＣＨにマッピングされることができる。
【００５４】
サイドリンクについて説明する。サイドリンクは、サイドリンク通信、車両対モノ（Ｖ２Ｘ）サイドリンク通信、及びサイドリンク発見のためのＵＥ対ＵＥインタフェースである。サイドリンクはＰＣ５インタフェースに該当する。サイドリンク送信は、ＵＥ間のサイドリンク発見、サイドリンク通信、及びＶ２Ｘサイドリンク通信のために定義される。サイドリンク送信は、ＵＥがネットワークカバレッジ内にあるとき、ＵＬ及びＤＬのために定義されたフレーム構造と同一のフレーム構造を用いる。しかしながら、サイドリンク送信は、時間及び周波数領域においてＵＬリソースのサブセットに制限される。サイドリンク送信のために、様々な物理チャネル、送信チャネル、及び論理チャネルが定義される。
【００５５】
サイドリンク通信は、ＵＥがＰＣ５インタフェースを介して互いに直接通信できる通信モードである。この通信モードは、前記ＵＥがＥ−ＵＴＲＡＮによりサービスされるとき及びＵＥがＥ−ＵＴＲＡカバレッジの外にあるときにサポートされる。公共安全作業のために利用が許可されたＵＥのみがサイドリンク通信を行うことができる。「Ｖ２Ｘ」の接頭語がない「サイドリンク通信」の用語は、他の説明がない限り、公共安全にのみ関連する。
【００５６】
ＵＥは、サイドリンク制御（ＳＣ）期間中に定義されたサブフレーム上においてサイドリンク通信を行う。前記ＳＣ期間は、サイドリンク制御情報（ＳＣＩ）及びサイドリンクデータ送信のためにセル内で割り当てられたリソースが発生する期間である。前記ＳＣ期間内で、前記ＵＥは、ＳＣＩに次いでサイドリンクデータを送信する。ＳＣＩは、階層１ＩＤ及び送信特性（例えば、変調及びコーディングの方式（ＭＣＳ）、ＳＣ期間中のリソースの位置、タイミング整列）を示す。
【００５７】
サイドリンク通信をサポートする前記ＵＥは、リソース割り当てのための２つのモードで動作することができる。第１モードは、スケジューリングされたリソース割り当てであり、これはサイドリンク通信のリソース割り当てのために「モード１」と呼ばれることができる。モード１において、前記ＵＥは、データを送信するためにＲＲＣ＿ＣＯＮＮＥＣＴＥＤ状態でなければならない。前記ＵＥは、前記ＢＳから送信リソースを要求する。前記ＢＳは、サイドリンク制御情報及びサイドリンクデータの送信のための送信リソースをスケジューリングする。前記ＵＥは、スケジューリング要求（専用スケジューリング要求（Ｄ−ＳＲ）又はランダムアクセス）に次いでサイドリンクバッファ状態報告（ＢＳＲ）を前記ＢＳに送信する。前記サイドリンクＢＳＲに基づいて、前記ＢＳは、前記ＵＥがサイドリンク通信送信のためのデータを有していると判断することができ、送信に必要なリソースを推定することができる。前記ＢＳは、設定されたサイドリンク無線ネットワーク臨時識別子（ＳＬ−ＲＮＴＩ）を利用してサイドリンク通信のための送信リソースをスケジューリングすることができる。
【００５８】
第２モードは、ＵＥ自動リソース選択であり、これは、サイドリンク通信のリソース割り当てのために「モード２」に呼ばれることができる。前記モード２において、ＵＥは自体的にリソースプールからリソースを選択し、サイドリンク制御情報及びデータを送信するために送信フォーマット選択を行う。カバレッジ外の作業のために事前設定されるか、カバレッジ内の作業のためにＲＲＣシグナリングにより提供される最大８つの送信プールが存在し得る。各プールは、プールと連関した１つ以上のＰｒｏＳｅパケット当たりに優先順位（ＰＰＰＰ）を有することができる。ＭＡＣ  ＰＤＵの送信のために、前記ＵＥは、関連ＰＰＰＰのうち１つがＭＡＣ  ＰＤＵにおいて識別された論理チャネルのうち最も高いＰＰＰＰを有する論理チャネルのＰＰＰＰと同一の送信プールを選択する。ＵＥが同一の連関ＰＰＰＰを有する多数のプールのうちどのように送信プールを選択するかはＵＥ実現にかかっている。サイドリンク制御プールとサイドリンクデータプールとの間には１対１の関連性がある。リソースプールが選択されると、全体ＳＣ期間中に選択が有効である。ＳＣ期間が終了した後、前記ＵＥは、リソースフル選択を再び行うことができる。前記ＵＥは、単一のＳＣ期間において相異なる目的地への多重送信を行うことができる。
【００５９】
ＵＥがサイドリンク通信の意向があるとき、ＲＲＣ＿ＣＯＮＮＥＣＴＥＤ状態にあるＵＥは、サイドリンクＵＥ情報メッセージをＢＳに送信することができる。これに応答して、ＢＳはＳＬ−ＲＮＴＩを利用して前記ＵＥを設定することができる。
【００６０】
ＵＥは、公共安全ＰｒｏＳｅ搬送波上においてセルを検出するたびにサイドリンク通信のためのカバレッジ内にあるとみなされる。前記ＵＥがサイドリンク通信を行うためのカバレッジから外れていると、モード２のみを利用することができる。前記ＵＥがサイドリンク通信のためのカバレッジ内にあると、ＢＳ設定に応じてモード１又はモード２を利用することができる。前記ＵＥがサイドリンク通信のためのカバレッジ内にあると、例外的な場合の１つが発生しない限り、ＢＳ設定により指示されたリソース割り当てモードのみを利用しなければならない。例外的な場合が発生すると、前記ＵＥは、モード１を利用するように設定された場合にもモード２を一時的に利用することができる。例外的な場合に利用されるリソースプールは、ＢＳにより提供されることができる。
【００６１】
前記ＵＥが、サイドリンク通信のためのカバレッジから外れたときのＳＣＩ情報のための送信及び受信リソースプールの集合が前記ＵＥ内において予め設定される。前記ＵＥがサイドリンク通信のためのカバレッジ内にあるときのＳＣＩのためのリソースプールは、次のように設定される。受信に利用されるリソースプールは、放送シグナリングにおいて前記ＢＳによりＲＲＣを介して設定される。モード２が利用されると、送信に利用されるリソースプールは、専用又は放送シグナリングにおいて前記ＢＳによりＲＲＣを介して設定される。モード１が利用されると、送信に利用されるリソースプールは専用シグナリングにおいて前記ＢＳによりＲＲＣを介して設定される。この場合、前記ＢＳは、設定された受信プール内においてＳＣＩ送信のための特定リソース（ら）をスケジューリングする。
【００６２】
前記ＵＥが、サイドリンク通信のためのカバレッジを外れたとき、データのための送信及び受信リソースプールの集合は前記ＵＥ内で予め設定される。前記ＵＥがサイドリンク通信のためのカバレッジ内にあるとき、データのためのリソースプールは以下のように設定される。モード２が利用されると、送信及び受信に利用されるリソースプールは、専用又は放送シグナリングにおいて前記ＢＳによりＲＲＣを介して設定される。モード１が利用されると、送信及び受信のためのリソースプールは存在しない。
【００６３】
Ｖ２Ｘサービス及びＶ２Ｘサイドリンク通信について説明する。Ｖ２Ｘサービスは、以下の４つの異なるタイプ、言い換えると、車両対車両（Ｖ２Ｖ）、車対インフラ（Ｖ２Ｉ）、車対端末機（Ｖ２Ｎ）、及び車両対歩行者（Ｖ２Ｐ）で構成される。Ｖ２Ｘサービスは、ＰＣ５インタフェース及び／又はＵｕインタフェースを介して提供されることができる。ＰＣ５インタフェースを介するＶ２Ｘサービスのサポートは、ＵＥがＰＣ５インタフェースを介して互いに直接通信できる通信モードであるＶ２Ｘサイドリンク通信により提供される。この通信モードは、前記ＵＥがＥ−ＵＴＲＡＮによりサービスされるとき及び前記ＵＥがＥ−ＵＴＲＡカバレッジ外にあるときにサポートされる。Ｖ２Ｘサービスのために利用が許可されたＵＥのみがＶ２Ｘサイドリンク通信を行うことができる。
【００６４】
Ｖ２Ｘサイドリンク通信をサポートする前記ＵＥは、リソース割り当てのための２つのモードで動作することができる。第１モードは、スケジューリングされたリソース割り当てであり、これは、Ｖ２Ｘサイドリンク通信のリソース割り当てのための「モード３」と呼ばれることができる。モード３において、データを送信するためには、前記ＵＥがＲＲＣ＿ＣＯＮＮＥＣＴＥＤ状態でなければならない。前記ＵＥは、前記ＢＳから送信リソースを要求する。前記ＢＳは、サイドリンク制御情報及びデータの送信のための送信リソースをスケジューリングする。モード３のためにサイドリンク準持続的スケジューリング（ＳＰＳ）がサポートされる。
【００６５】
第２モードは、ＵＥ自律的リソース選択であり、これは、Ｖ２Ｘサイドリンク通信のリソース割り当てのための「モード４」と呼ばれることができる。モード４において、前記ＵＥは、自体的にリソースプールからリソースを選択し、サイドリンク制御情報及びデータを送信するために送信フォーマット選択を行う。区域とＶ２Ｘサイドリンク送信リソースプールの間のマッピングが設定されると、前記ＵＥは、ＵＥが位置した区域に基づいてＶ２Ｘサイドリンクリソースプールを選択する。前記ＵＥは、サイドリンクリソースの（再）選択のためのセンシングを行う。センシング結果に基づいて、前記ＵＥは、一部の特定のサイドリンクリソースを（再）選択し、多数のサイドリンクリソースを予約する。最大２つの並列独立リソース予約プロセスが前記ＵＥにより行われることができる。前記ＵＥは、Ｖ２Ｘサイドリンク送信のための単一リソース選択を行うこともできる。
【００６６】
Ｖ２Ｘサイドリンク送信のために、ハンドオーバーの間、ターゲットセルに対する例外的な送信リソースプールを含む送信リソースプール設定がハンドオーバー命令内にシグナリングされて送信中断を減らすことができる。このような方式で、ＢＳが同期化ソースとして設定された場合、ターゲットセルとの同期化が行われる限り、又はグローバルナビゲーション衛星システム（ＧＮＳＳ）が同期化ソースと設定された場合、ＧＮＳＳとの同期化が行われる限り、前記ＵＥは、ハンドオーバが完了する前にターゲットセルの送信サイドリンクリソースプールを利用することができる。例外的な送信リソースプールがハンドオーバ命令に含まれている場合、前記ハンドオーバ命令が受信されると、前記ＵＥは、例外的な送信リソースプールからランダムに選択されたリソースを利用し始める。前記ハンドオーバ命令において前記ＵＥがモード３と設定されていると、ハンドオーバと関連したタイマーが実行される間、前記ＵＥは例外的な送信リソースプールを継続して利用する。前記ＵＥがターゲットセル内においてモード４と設定されていると、前記ＵＥは、モード４のための送信リソースプールに対する検知結果が利用可能になるまで例外的な送信リソースプールを継続して利用する。例外的な場合（例えば、無線リンク失敗（ＲＬＦ）の間、ＲＲＣ＿ＩＤＬＥからＲＲＣ＿ＣＯＮＮＥＣＴＥＤに遷移する間、又はセル内の専用サイドリンクリソースプールが変更される間）、前記ＵＥは、任意選択に基づいてサービングセルのＳＩＢ２１に提供された例外的なプールにおいてリソースを選択することができ、そのリソースを臨時に利用することができる。セルの再選択の間、ＲＲＣ＿ＩＤＬＥ  ＵＥはモード４のための送信リソースプールに対する検知結果が利用可能になるまで再選択されたセルの例外的な送信リソースプールから無作為に選択されたリソースを利用することができる。
【００６７】
ターゲットセルから放送された受信プールを取得するにおいての遅延によりＶ２Ｘメッセージ受信での中断時間を避けるために、ターゲットセルに対する同期化設定及び受信リソースプール設定がハンドオーバ命令においてＲＲＣ＿ＣＯＮＮＥＣＴＥＤ  ＵＥにシグナリングされることができる。ＲＲＣ＿ＩＤＬＥ  ＵＥの場合、ターゲットセルのＳＩＢ２１の取得と関連したサイドリンク送信／受信中断時間を最小化することは、ＵＥ実現にかかっている。
【００６８】
ＵＥは、搬送波上においてセルを検出するたびにＶ２Ｘサイドリンク通信のために使用される搬送波上のカバレッジ内にあるとみなされる。Ｖ２Ｘサイドリンク通信のために許可された前記ＵＥがＶ２Ｘサイドリンク通信のためのカバレッジ内にある場合、前記ＵＥは、ＢＳ設定によってモード３又はモード４を利用することができる。前記ＵＥがＶ２Ｘサイドリンク通信のためのカバレッジを外れたときの送信及び受信リソースプールの集合は、前記ＵＥ内に予め設定されることができる。Ｖ２Ｘサイドリンク通信リソースは、サイドリンクを介して送信された他のｎｏｎ−Ｖ２Ｘデータと共有されない。
【００６９】
ＲＲＣ＿ＣＯＮＮＥＣＴＥＤ  ＵＥは、Ｖ２Ｘサイドリンク通信送信に意向があると、サイドリンクリソースを要求するためにサイドリンクＵＥ情報メッセージをサービングセルに送信する。
【００７０】
前記ＵＥが上位層によりＶ２Ｘサイドリンク通信を受信するように設定され、Ｖ２Ｘサイドリンク受信リソースが提供されると、前記ＵＥは、提供されたリソースを受信する。
【００７１】
他の搬送波／ＰＬＭＮでのサイドリンクＶ２Ｘ通信の受信は、前記ＵＥ内に多数の受信機チェーンを含ませることによりサポートされる。
【００７２】
サイドリンクＳＰＳの場合、他のパラメータを有する最大８つのＳＰＳ設定がＢＳにより設定され、全てのＳＰＳ設定が同時に活性化されることができる。ＳＰＳ設定の活性化／非活性化はＢＳによりＰＤＣＣＨを介してシグナリングされる。ＰＰＰＰベースの既存論理チャネルの優先順位はサイドリンクＳＰＳ に用いられる。
【００７３】
ＵＥサポート情報はＢＳに提供される。ＵＥサポート情報の報告は、Ｖ２Ｘサイドリンク通信のためにＢＳにより設定される。Ｖ２Ｘサイドリンク通信に利用されるＵＥサポート情報は、トラフィック特性パラメータ（例えば、好まれる予想ＳＰＳ間隔、システムフレーム番号（ＳＦＮ）０のサブフレーム０に対するタイミングオフセット、ＳＰＳ設定と関連した観測トラフィックパターンに基づいたＰＰＰＰ及び最大送信ブロック（ＴＢ）のサイズの集合）を含む。ＳＰＳが既に設定されているか設定されていない場合、前記ＵＥサポート情報が報告されることができる。前記ＵＥサポート情報送信のトリガリングは、ＵＥ実現として残される。例えば、前記ＵＥは、パケット到着の推定周期及び／又はタイミングオフセットでの変化が発生するとき、ＵＥサポート情報を報告することができる。トラフィックタイプ別のＳＲマスクは、Ｖ２Ｘサイドリンク通信のためにサポートされない。
【００７４】
チャネル利用を制御するために、前記ネットワークは、前記ＵＥがチャネル混雑度（ＣＢＲ）に応じてそれぞれの送信プールに対する送信パラメータをどのように適応させるかを示す。前記ＵＥは、例外的なプールを含んで設定された全ての送信プールを測定する。ＳＡ（スケジューリング割り当て）プールとデータプールリソースが隣接して位置する場合はデータプールのみが測定され、それに対して、ＳＡプールとデータプールが隣接して位置していない場合はＳＡプールとデータプールが別途に測定される。
【００７５】
ＲＲＣ＿ＣＯＮＮＥＣＴＥＤ状態のＵＥは、ＣＢＲ測定結果を報告するように設定される。ＣＢＲ報告のために定期報告及びイベントトリガー報告がサポートされる。データプール専用と定義された２つの新しい報告イベントがイベントトリガーＣＢＲ報告のために導入される。ＣＢＲイベントトリガー報告は、オーバーロード臨界値及び／又はアンダーロード臨界値によりトリガーされる。前記ネットワークは、前記ＵＥがどの送信プールを報告すべきであるかを設定することができる。
【００７６】
ＵＥ（ＲＲＣ状態に関係なし）は、ＣＢＲに基づいて送信パラメータ適応を行う。例示的な適応された送信パラメータは、最大送信電力、ＴＢ当たりの再送信回数の範囲、物理サイドリンク共有チャネル（ＰＳＳＣＨ）リソースブロック数の範囲、ＭＣＳの範囲、及びチャネル占有率の最大限界を含む。送信パラメータ適応は、例外的なプールを含んで全ての送信プールに適用される。
【００７７】
モード３及びモード４のための他の周波数に対する例外的なプールを含むサイドリンク送信及び／又は受信リソースが提供されることができる。他の周波数に対するサイドリンクリソースは、専用シグナリング、ＳＩＢ２１及び／又は事前設定により提供されることができる。サービングセルは、前記ＵＥがサイドリンクリソース設定を取得できる周波数のみを前記ＵＥに示すことができる。多数の周波数及び関連リソース情報が提供されると、提供された周波数のうち周波数を選択することはＵＥ実現にかかっている。前記ＵＥがＶ２Ｘサイドリンク通信のためのリソース設定又は搬送波間のリソース設定を提供するセルを検出する場合、前記ＵＥは、事前に設定された送信リソースを利用してはならない。Ｖ２Ｘサイドリンク通信リソース設定又は交差搬送波設定を提供できる周波数は、事前に設定されることができる。ＲＲＣ＿ＩＤＬＥ  ＵＥは、セル再選択の間、他の搬送波に対するＶ２Ｘサイドリンク通信のためのリソース設定を提供する周波数を優先順位化することができる。
【００７８】
前記ＵＥが多数の送信チェーンをサポートすると、ＰＣ５を介して多数の搬送波上において同時送信が可能である。Ｖ２Ｘのための多数の周波数がサポートされる場合、サービスタイプとＶ２Ｘ周波数間のマッピングは、上位層により設定される。前記ＵＥは、当該周波数上においてサービスが送信されるように保障すべきである。
【００７９】
前記ＵＥは、他のＰＬＭＮのＶ２Ｘサイドリンク通信を受信することができる。前記サービングセルは、ＰLＭＮ間の動作のためのＲＸリソース設定を前記ＵＥに直接示すか、前記ＵＥがＰＬＭＮ間のサイドリンクリソース設定を取得できる周波数のみを前記ＵＥに示すことができる。他のＰＬＭＮでのサイドリンク送信は許容されない。
【００８０】
ＵＬ送信が同一の周波数でのＶ２Ｘサイドリンク送信と時間領域において重畳されるとき、前記ＵＥは、サイドリンクＭＡＣ  ＰＤＵのＰＰＰＰが（事前）設定されたＰＰＰＰ臨界値より低い場合、ＵＬ送信よりサイドリンク送信を優先化する。ＵＬ送信が相異なる周波数でのサイドリンク送信と時間領域で重畳されるとき、前記ＵＥは、サイドリンクＭＡＣ  ＰＤＵのＰＰＰＰが（事前）設定されたＰＰＰＰ臨界値より低い場合、ＵＬ送信よりサイドリンク送信を優先化するか、ＵＬ送信電力を減少させることができる。しかしながら、ＵＬ送信が上位層により優先順位化されるか、ＲＡＣＨ手順が行われると、前記ＵＥは、あるＶ２Ｘサイドリンク送信よりも（すなわち、サイドリンクＭＡＣ  ＰＤＵのＰＰＰＰに関係なく）ＵＬ送信を優先化する。
【００８１】
Ｖ２Ｘサイドリンク通信送信に関するＭＡＣサブ層の詳細な動作について説明する。サイドリンク共有チャネル（ＳＬ−ＳＣＨ）上での送信のために、ＭＡＣエンティティは少なくとも１つのサイドリンクグラントを有していなければならない。
【００８２】
サイドリンクグラントは、サイドリンク通信のために次のように選択される：
【００８３】
１＞前記ＭＡＣエンティティがＰＤＣＣＨ上で動的に単一サイドリンクグラントを受信するように設定され、現在のＳＣ期間で送信できるデータより多くのデータがサイドリンクトラフィックチャネル（ＳＴＣＨ）において利用可能であると、前記ＭＡＣエンティティは、以下を行う：
【００８４】
２＞前記受信されたサイドリンクグラントを利用してＳＣＩの送信及び第１送信ブロックの送信が発生するサブフレームの集合を決定する；
【００８５】
２＞前記受信されたサイドリンクグラントを、前記サイドリンクグラントが受信されたサブフレームにおいて少なくとも４サブフレーム以後に開始する第１利用可能なＳＣ期間の最初で開始するサブフレームにおいて発生する設定されたサイドリンクグラントであるとみなし、可能であると、同一のＳＣ期間で発生した以前に設定されたＳＬグラントを被る；
【００８６】
２＞該当ＳＣ期間の最後において前記設定されたサイドリンクグラントを消す；
【００８７】
１＞そうではなく、前記ＭＡＣエンティティがＰＤＣＣＨ上で動的に多数のサイドリンクグラントを受信するように上位層により設定され、現在のＳＣ期間において送信できるデータより多くのデータがＳＴＣＨにおいて利用可能であると、前記ＭＡＣエンティティは、各受信されたサイドリンクグラントに対して次を行う：
【００８８】
２＞前記受信されたサイドリンクグラントを利用してＳＣＩの送信及び第１送信ブロックの送信が発生するサブフレームの集合を決定する；
【００８９】
２＞前記受信されたサイドリンクグラントを、前記サイドリンクグラントが受信されたサブフレームにおいて少なくとも４サブフレーム以後に開始する第１利用可能なＳＣ期間の最初で開始するサブフレームにおいて発生する設定されたサイドリンクグラントであると見なし、可能であると、同一のＳＣ期間で発生した前記設定されたサイドリンクグラントと異なる無線フレームの同一のサブフレーム番号で受信された、以前に設定されたサイドリンクグラントを被る；
【００９０】
２＞該当ＳＣ期間の最後において前記設定されたサイドリンクグラントを消す；
【００９１】
１＞そうではなく、前記ＭＡＣエンティティが１つ以上のリソースプールを利用してデータを送信するように上位層により設定され、現在のＳＣ期間で送信できるデータより多くのデータがＳＴＣＨにおいて利用可能であると、前記ＭＡＣエンティティは選択される各サイドリンクグラントに対して次を行う：
【００９２】
２＞上位層により単一リソースプールを利用するように設定された場合：
【００９３】
３＞利用するリソースプールを選択する；
【００９４】
２＞そうではなく、上位層により多数のリソースプールを利用するように設定された場合：
【００９５】
３＞関連した優先順位リストが送信されるＭＡＣ  ＰＤＵにおいてサイドリンク論理チャネルの最も高い優先順位の優先順位を含む、上位層により設定されたリソースプールから利用するリソースプールを選択する；
【００９６】
２＞選択されたリソースプールにおいてサイドリンクグラントのＳＣＩ及びＳＬ−ＳＣＨのための時間及び周波数リソースを任意に選択する。許容された選択それぞれは、任意関数により同一の確率で選択できる；
【００９７】
２＞前記選択されたサイドリンクグラントを利用してＳＣＩの送信及び第１送信ブロックの送信が発生するサブフレームの集合を決定する；
【００９８】
２＞前記選択されたサイドリンクグラントを、前記サイドリンクグラントが選択されたサブフレームにおいて少なくとも４サブフレーム以後に開始する第１利用可能なＳＣ期間の最初で開始するサブフレームにおいて発生する設定されたサイドリンクグラントであるとみなす；
【００９９】
２＞該当ＳＣ期間の最後において前記設定されたサイドリンクグラントを消す。
【０１００】
サイドリンクグラントはＶ２Ｘサイドリンク通信のために次のように選択される：
【０１０１】
１＞前記ＭＡＣエンティティがＰＤＣＣＨ上で動的にサイドリンクグラントを受信するように設定され、データがＳＴＣＨにおいて利用可能であると、前記ＭＡＣエンティティは、以下を行わなければならない：
【０１０２】
２＞前記受信されたサイドリンクグラントを利用してＳＣＩの送信及びＳＬ−ＳＣＨ上での送信が発生するサブフレームの集合及びＨＡＲＱ再送信の回数を決定する；
【０１０３】
２＞前記受信されたサイドリンクグラントを設定されたサイドリンクグラントであるとみなす；
【０１０４】
１＞そうではなく、前記ＭＡＣエンティティがリソースプールを利用するセンシングに基づいてデータを送信するように上位層により設定され、前記ＭＡＣエンティティが多数のＭＡＣ  ＰＤＵの送信に対応する設定されたサイドリンクグラントを生成することを選択し、データがＳＴＣＨにおいて利用可能であると、前記ＭＡＣエンティティはセンシングに基づいて多重送信のために設定された各サイドリンク処理に対して次を行う：
【０１０５】
２＞ＳＬ＿ＲＥＳＯＵＲＣＥ＿ＲＥＳＥＬＥＣＴＩＯＮ＿ＣＯＵＮＴＥＲ＝０で、前記ＭＡＣエンティティが、［０、１］区間内の値として上位層によりｐｒｏｂＲｅｓｏｕｒｃｅＫｅｅｐにおいて設定された確率より高い値を同等の確率で任意に選択する場合：又は
【０１０６】
２＞前記設定されたサイドリンクグラントが上位層によりｍａｘＭＣＳ−ＰＳＳＣＨにおいて設定された最大許容ＭＣＳを利用してＲＬＣ  ＳＤＵを収容できず、前記ＭＡＣエンティティが前記ＲＬＣ  ＳＤＵを断片化しないことに選択する場合：又は
【０１０７】
２＞リソースが上位層により設定されるか、再設定される場合：
【０１０８】
３＞可能であると、前記設定されたサイドリンクグラントを消す；
【０１０９】
３＞［５、１５］区間内の整数値を同等の確率で任意に選択し、ＳＬ＿ＲＥＳＯＵＲＣＥ＿ＲＥＳＥＬＥＣＴＩＯＮ＿ＣＯＵＮＴＥＲを選択した値に設定する；
【０１１０】
３＞上位層によりａｌｌｏｗｅｄＲｅｔｘＮｕｍｂｅｒＰＳＳＣＨにおいて設定された許容回数からＨＡＲＱ再送信の回数、及び上位層によりｍｉｎＲＢ−ＮｕｍｂｅｒＰＳＳＣＨとｍａｘＲＢ−ＮｕｍｂｅｒＰＳＳＣＨの間で設定された範囲内で周波数リソースの量を選択する；
【０１１１】
３＞上位層によりｒｅｓｔｒｉｃｔＲｅｓｏｕｒｃｅＲｅｓｅｒｖａｔｉｏｎＰｅｒｉｏｄにおいて設定された許容値のうち１つを選択し、選択された値に１００を乗じてリソース予約区間を設定する；
【０１１２】
３＞物理層により指示されたリソースから１つの時間及び周波数リソースを任意に選択する。許容された選択それぞれは、任意関数により同一の確率で選択できる；
【０１１３】
３＞前記任意に選択されたリソースを利用して、ＭＡＣ  ＰＤＵの送信機会の回数に対応するＳＣＩの送信及びＳＬ−ＳＣＨ上での送信機会のための、前記リソース予約区間の間隔に配置された周期的リソースの集合を選択する；
【０１１４】
３＞ＨＡＲＱ再送信回数が１で、物理層により指示されたリソースのうち残っているより多くの送信機会のための条件を満足する利用可能リソースがある場合：
【０１１５】
３＞利用可能リソースから１つの時間及び周波数リソースを任意に選択する。許容された選択それぞれは、任意関数により同一の確率で選択できる；
【０１１６】
４＞前記任意に選択されたリソースを利用して、前記ＭＡＣ  ＰＤＵの再送信機会回数に対応するＳＣＩの送信及びＳＬ−ＳＣＨ上での送信の残りの機会のための、前記リソース予約区間の間隔に配置された周期的リソースの集合を選択する；
【０１１７】
４＞送信機会の第１集合を新規送信機会と見なし、送信機会の残りの集合を再送信機会とみなす；
【０１１８】
４＞新規送信機会及び再送信機会の集合を前記選択されたサイドリンクグラントとみなす。
【０１１９】
３＞そうでないと：
【０１２０】
４＞前記集合を前記選択されたサイドリンクグラントとみなす；
【０１２１】
３＞前記選択されたサイドリンクグラントを利用してＳＣＩの送信及びＳＬ−ＳＣＨ上での送信が発生するサブフレームの集合を決定する；
【０１２２】
３＞前記選択されたサイドリンクグラントを設定されたサイドリンクグラントであるとみなす；
【０１２３】
２＞そうではなく、ＳＬ＿ＲＥＳＯＵＲＣＥ＿ＲＥＳＥＬＥＣＴＩＯＮ＿ＣＯＵＮＴＥＲ＝０で、前記ＭＡＣエンティティが、［０，１］区間内の値として上位層によりｐｒｏｂＲｅｓｏｕｒｃｅＫｅｅｐにおいて設定された確率より小さいか等しい値を同等の確率で任意に選択する場合；
【０１２４】
３＞可能であると、前記設定されたサイドリンクグラントを消す；
【０１２５】
３＞［５，１５］区間内の整数値を同等の確率で任意に選択し、ＳＬ＿ＲＥＳＯＵＲＣＥ＿ＲＥＳＥＬＥＣＴＩＯＮ＿ＣＯＵＮＴＥＲを選択した値と設定する；
【０１２６】
３＞リソース予約区間とともにＭＡＣ  ＰＤＵの送信回数のための以前に選択された前記サイドリンクグラントを利用して、ＳＣＩの送信及びＳＬ−ＳＣＨ上での送信が発生するサブフレームの集合を決定する；
【０１２７】
３＞前記選択されたサイドリンクグラントを設定されたサイドリンクグラントであるとみなす；
【０１２８】
１＞そうではなく、前記ＭＡＣエンティティがリソースプールを利用するセンシング又は任意選択に基づいてデータを送信するように上位層により設定され、前記ＭＡＣエンティティが単一ＭＡＣ  ＰＤＵの送信に対応する設定されたサイドリンクグラントを生成することを選択し、データがＳＴＣＨにおいて利用可能であると、前記ＭＡＣエンティティは、サイドリンク処理に対して次を行う：
【０１２９】
２＞上位層によりａｌｌｏｗｅｄＲｅｔｘＮｕｍｂｅｒＰＳＳＣＨにおいて設定された許容回数からＨＡＲＱ再送信の回数、及び上位層によりｍｉｎＲＢ−ＮｕｍｂｅｒＰＳＳＣＨとｍａｘＲＢ−ＮｕｍｂｅｒＰＳＳＣＨの間で設定された範囲内で周波数リソースの量を選択する；
【０１３０】
２＞ランダム選択に基づいた送信が上位層により設定される場合：
【０１３１】
３＞リソースプールにおいてＳＣＩ及びＳＬ−ＳＣＨ上での１回の送信機会のための時間及び周波数リソースを任意に選択する。許容された選択それぞれは、任意関数により同一の確率で選択できる；
【０１３２】
２＞そうでないと：
【０１３３】
３＞物理層により指示されたリソースプールにおいてＳＣＩ及びＳＬ−ＳＣＨ上での１回の送信機会のための時間及び周波数リソースを任意に選択する。許容された選択それぞれは、任意関数により同一の確率で選択できる；
【０１３４】
２＞ＨＡＲＱ再送信の回数が１である場合：
【０１３５】
３＞任意選択に基づいた送信が上位層により設定され、より多くの送信機会のための条件を満足する利用可能リソースがある場合：
【０１３６】
４＞利用可能リソースからＭＡＣ  ＰＤＵの追加送信回数に対応するＳＣＩ及びＳＬ−ＳＣＨ上での他の送信機会のための時間及び周波数リソースを任意に選択する。許容された選択それぞれは、任意関数により同一の確率で選択できる；
【０１３７】
３＞そうではなく、センシングに基づいた送信が上位層により設定され、物理層により既に排除されたリソースを除いてより多くの送信機会のための条件を満足する利用可能リソースがある場合：
【０１３８】
４＞利用できるリソースからＭＡＣ  ＰＤＵの追加送信回数に対応するＳＣＩ及びＳＬ−ＳＣＨ上での他の送信機会のための時間及び周波数リソースを任意に選択する。許容された選択それぞれは、任意関数により同一の確率で選択できる；
【０１３９】
３＞時間的に先に来る送信機会を新規送信機会と見なし、時間的に後で来る送信機会を再送信機会とみなす；
【０１４０】
３＞新規送信機会と再送信機会の全てを選択されたサイドリンクグラントとみなす；
【０１４１】
２＞そうでないと：
【０１４２】
３＞前記送信機会を選択されたサイドリンクグラントとみなす；
【０１４３】
２＞前記選択されたサイドリンクグラントを利用してＳＣＩ及びＳＬ−ＳＣＨ上での送信（ら）が発生するサブフレームを決定する；
【０１４４】
２＞前記選択されたサイドリンクグラントを設定されたサイドリンクグラントであるとみなす；
【０１４５】
前記ＭＡＣエンティティは各サブフレームに対して以下を行う：
【０１４６】
１＞前記ＭＡＣエンティティがそのサブフレームで発生する設定されたサイドリンクグラントを有する場合：
【０１４７】
２＞前記設定されたサイドリンクグラントがＳＣＩの送信に該当する場合：
【０１４８】
３＞前記設定されたサイドリンクグラントに対応するＳＣＩを送信するように物理層に指示する；
【０１４９】
３＞Ｖ２Ｘサイドリンク通信のために、前記設定されたサイドリンクグラント及び前記関連したＨＡＲＱ情報をそのサブフレームに対するサイドリンクＨＡＲＱエンティティに伝達する；
【０１５０】
２＞前記設定されたサイドリンクグラントがサイドリンク通信のための第１送信ブロックの送信に対応する場合：
【０１５１】
３＞前記設定されたサイドリンクグラント及び前記関連したＨＡＲＱ情報をそのサブフレームに対するサイドリンクＨＡＲＱエンティティに伝達する。
【０１５２】
従来技術によると、リソースプールは単一搬送波においてのみ設定される。ＵＥ  ＲＲＣ（すなわち、ＵＥのＲＲＣ層）は、単一搬送波上でリソースプールを選択することができ、ＵＥ  ＭＡＣ（すなわち、ＵＥのＭＡＣ層）は、選択されたプールに対してリソース（再）選択を行うことができる。従って、ＵＥが他の搬送波上で並列送信を行う場合、前記ＵＥは各搬送波上のリソースを独立的に選択することになる。この場合、前記ＵＥは、混雑搬送波上で並列サイドリンク送信を行うことになり、これにより、その搬送波上での混雑度が増加する。
【０１５３】
ｒｅｌｅａｓｅ  １５において、Ｖ２Ｘサイドリンク通信のためにサイドリンクでの搬送波結合（ＣＡ）がサポートされる。ＣＡは、カバレッジ内のＵＥとカバレッジ外のＵＥの両方ともに適用される。サイドリンクでのＣＡの場合、１次コンポーネント搬送波及び２次コンポーネント搬送波が全て定義されていることではない。Ｖ２Ｘサイドリンク通信送信又は受信のための（事前）設定された各リソースプールは、単一搬送波に関連する。
【０１５４】
サイドリンクにおいてＣＡをサポートするＵＥが自律的リソース選択を利用するとき、ＵＥは、搬送波選択を行ってＶ２Ｘサイドリンク通信送信に利用される１つ以上の搬送波を選択することができる。搬送波選択は、Ｖ２Ｘサイドリンク通信のための（事前）設定された搬送波のＣＢＲ及び送信されるＶ２ＸメッセージのＰＰＰＰ（ら）によってＭＡＣ層において行われる。搬送波再選択は、それぞれのサイドリンク処理のためにリソース再選択がトリガーされるときに行われる。他の搬送波間の頻繁なスイッチングを避けるために、前記ＵＥは、その搬送波上の測定されたＣＢＲが（事前）設定された臨界値より低い場合、送信のために既に選択されている搬送波を継続して利用することができる。自律的リソース選択を利用するＵＥの場合、３ＧＰＰ  ＴＳ  ３６．３２１［１３］に明示された通り、搬送波上において測定されたＣＢＲ及びサイドリンク論理チャネルのＰＰＰＰによって搬送波上のサイドリンクリソースに対して論理チャネルの優先順位化が行われる。
【０１５５】
以下、本発明の一実施形態による搬送波を選択する方法について説明する。本発明の一実施形態において、ＵＥが多数の搬送波又はリソースプールを選択できるように設定される場合、前記ＵＥは、設定された搬送波又はリソースプールのうちＣＢＲ値がネットワークにより指示された臨界値未満である搬送波又は多数のリソースプールを選択することができる。次に、前記ＵＥは、１つ以上のＭＡＣ  ＰＤＵを送信するために、前記選択された搬送波又は前記選択されたリソースプールのうち一部又は全体においてサイドリンクリソース（すなわち、サイドリンクグラント）を選択することができる。
【０１５６】
または、前記ＵＥは、前記設定された全ての搬送波又はリソースプールにおいてサイドリンクリソース（すなわち、サイドリンクグラント）を選択することができる。次に、前記ＵＥは、論理チャネルの優先順位化手順においてサイドリンク論理チャネルに対する特定の搬送波又はリソースプールのサイドリンクリソースのみを割り当てる。特定搬送波又はリソースプールは、ネットワークにより指示された臨界値未満のＣＢＲ値を提供する。
【０１５７】
前記ＵＥは、１つ以上のＭＡＣ  ＰＤＵを受信するために前記選択された搬送波又は前記選択されたリソースプールをモニタリングする。
【０１５８】
本発明の一実施形態において、前記ネットワークは、例えば、システム情報及び／又は専用シグナリングを介してサイドリンクにおいてどのリソースプールが結合できるかをＵＥに指示することができる。前記ネットワークは前記ＵＥに次のように情報を指示する：
【０１５９】
−前記ネットワークは、前記結合搬送波をリソースプール、帯域、又は帯域組み合わせごとに指示することができる。
【０１６０】
−前記ネットワークは、受信及び送信のために結合リソースフル又は結合搬送波を個別に指示することができる。
【０１６１】
−前記ネットワークは、ＣＢＲ（ｃｈａｎｎｅｌ  ｂｕｓｙ  ｒａｔｉｏ）臨界値のような混雑度臨界値を指示することができる。前記臨界値は、ＵＥ、セル、搬送波、周波数帯域、又はリソースプールごとに異なる。
【０１６２】
−前記ネットワークは、特定搬送波又は特定リソースプールのＣＢＲレベルを指示することができる。
【０１６３】
前記ＵＥは、前記指示された搬送波のうちＣＢＲ値が臨界値未満である１つ以上の搬送波を（任意に）選択することができる。前記ＵＥは、搬送波上において下位層によりＣＢＲを測定するか、セルからＣＢＲ値を受信することにより、それぞれの搬送波のＣＢＲ レベルが分かる。
【０１６４】
前記ＵＥがＣＢＲ値が臨界値未満である搬送波を探することができないか、前記ＵＥがデータを送信するために追加で搬送波を必要とする場合、前記ＵＥは、ＣＢＲ値が臨界値以上である搬送波のうちＣＢＲ値の昇順で最も低いＣＢＲ値を有する搬送波を選択する。
【０１６５】
前記ＵＥは、前記選択された搬送波（ら）上でのサイドリンクリソースを選択した後、前記選択されたサイドリンクリソース上でＳＣＩ（Ｓｉｄｅｌｉｎｋ  Ｃｏｎｔｒｏｌ  Ｉｎｆｏｒｍａｔｉｏｎ）及び／又はデータを送信することができる。前記サイドリンクリソースは、サイドリンク論理チャネルに該当し得る。
【０１６６】
前記ＵＥは、前記選択された搬送波（ら）上でＳＣＩ（Ｓｉｄｅｌｉｎｋ  Ｃｏｎｔｒｏｌ  Ｉｎｆｏｒｍａｔｉｏｎ）をモニタリングするか受信することができる。その後、前記ＵＥは、ＳＣＩにより指示された搬送波（ら）上でデータを受信することができる。
【０１６７】
図５は、本発明の一実施形態による搬送波を選択する方法のフローチャートを示す。次のステップは、前記ＵＥが１つ以上の搬送波を選択する方法に関する細部事項である。本実施形態において、それぞれのリソースプールが単一の搬送波に連関しているので、搬送波はリソースプールに代替できる。
【０１６８】
ステップＳ５０２で、前記ネットワークは、セルに対するＣＢＲ臨界値及び搬送波に関する情報を指示することができる。例えば、前記ネットワークは、セルに対するＣＢＲ臨界値として０．３を指示し、前記ネットワークは、搬送波♯１、搬送波♯２、搬送波♯３、及び搬送波♯４を指示することができる。
【０１６９】
ステップＳ５０４で、前記ＵＥは、前記ネットワークにより指示された搬送波のＣＢＲ値を取得する。例示的な実施形態によると、前記ＵＥは、搬送波♯１、搬送波♯２、搬送波♯３、及び搬送波♯４のＣＢＲ値を取得できる。それぞれの搬送波のＣＢＲ値を取得するために、セル上に存在するＵＥ又はセルによりサービングされるＵＥは、搬送波に対する測定を行う。または、前記ＵＥは、前記ネットワークから各搬送波に対するＣＢＲ値を受信する。本発明の一実施形態によると、各搬送波の取得されたＣＢＲ値は以下の通りである。
【０１７０】
−搬送波♯１のＣＢＲ値＝０．４
【０１７１】
−搬送波♯２のＣＢＲ値＝０．１
【０１７２】
−搬送波♯３のＣＢＲ値＝０．２
【０１７３】
−搬送波♯４のＣＢＲ値＝０．６
【０１７４】
ステップＳ５０６で、前記ＵＥは、例えば、Ｌ２のバッファでの送信に利用可能なデータの量に基づいてどれだけ多くの搬送波が選択されるべきであるかを決定する。本発明の一実施形態によると、前記ＵＥは、３つの搬送波が選択されなければならないと決定することができる。
【０１７５】
ステップＳ５０８で、前記ＵＥは、ＣＢＲ値が前記ネットワークにより指示されたＣＢＲ臨界値未満である搬送波を選択することができる。例示的な実施形態によると、前記ネットワークにより指示されたＣＢＲ臨界値は０．３になることができる。この場合、前記ＵＥは、ＣＢＲ値が０．１である搬送波♯２とＣＢＲ値が０．２である搬送波♯３を選択する。
【０１７６】
ステップＳ５１０で、ＣＢＲ値がＣＢＲ臨界値未満である搬送波の数が、選択されると決定された搬送波の数より小さい場合、前記ＵＥは、追加の搬送波を選択することができる。この場合、追加搬送波はＣＢＲ臨界値と同一であるか、高いＣＢＲ値を有する搬送波であり得る。追加搬送波の数は、ＣＢＲ値がＣＢＲ臨界値より低い搬送波の数と、選択されることと決定された搬送波の数との差であり得る。例示的な実施形態によると、前記ＵＥが計３つの搬送波を選択する必要があるが、ステップＳ５０８で、前記ＵＥは２つの搬送波のみを選択する。従って、前記ＵＥは、ＣＢＲ値が０．３以上である追加搬送波を選択することができる。追加搬送波は、ＣＢＲ値が増加する順に選択される。すなわち、搬送波の優先順位は、それぞれのＣＢＲ値に基づいて設定される。搬送波♯１は、ＣＢＲ値が０．３を超過する搬送波のうち最も低いＣＢＲ値を提供するので、ＵＥは搬送波♯１を選択することができる。
【０１７７】
一方、ＣＢＲ値がＣＢＲ臨界値未満である搬送波の数が、選択されることと決定された搬送波の数より大きい場合、前記ＵＥは、ＣＢＲ値がＣＢＲ臨界値未満である任意の搬送波を選択することができる。本発明の一実施形態によると、この場合、前記ＵＥは、ＣＢＲ値がＣＢＲ臨界値未満である搬送波のうち搬送波（ら）を任意に選択するか、ＣＢＲ値がＣＢＲ臨界値未満である搬送波のうち搬送波のＣＢＲ値の順に搬送波（ら）を任意に選択することができる。
【０１７８】
ステップＳ５１２で、前記ＵＥは、それぞれの選択された搬送波上のリソースを選択することができる。本発明の一実施形態によると、このステップで言及された前記リソースは、サイドリンクリソースであり得る。例示的な実施形態によると、前記ＵＥは、搬送波♯１、搬送波♯２、及び搬送波♯３のそれぞれにおいてリソースを選択することができる。すなわち、前記ＵＥは、ＲＲＣにより設定された未選択搬送波上においてリソースを選択しないことができる。
【０１７９】
前記ＵＥは、搬送波のＣＢＲ値の順で各搬送波上においてデータを占有することができる。具体的に、前記ＵＥは、最も低いＣＢＲ値から高いＣＢＲ値まで順番に各搬送波上でデータを占有することができる。例示的な実施形態によると、前記ＵＥは、まず搬送波♯２を占有する。その次に、特にサイドリンクにおいて前記ＵＥが送信されるほかのデータを持っている場合、前記ＵＥは、搬送波♯３を占有する。最後に、前記ＵＥが送信される残りのデータを相変らず持っている場合、前記ＵＥは搬送波♯１を占有する。
【０１８０】
ステップＳ５１４で、前記ＵＥは、搬送波♯１、搬送波♯２、及び搬送波♯３の選択されたリソース上においてＳＣＩ及びデータを送信する。
【０１８１】
ステップＳ５１６で、データがＬ２のバッファでの送信に利用可能になるたびに、前記ＵＥは、例えば、Ｌ２のバッファでの送信に利用可能なデータの量に基づいてどれだけ多くの搬送波が選択されるべきであるかを決定することができる。例えば、前記ＵＥは、１つの搬送波が選択されるべきであると決定する。この場合、前記ＵＥは、ＣＢＲ値が０．３未満である１つの搬送波を選択する。従って、前記ＵＥは、搬送波♯２及び搬送波♯３のうち１つを任意に選択する。また、前記ＵＥは、選択された搬送波上においてサイドリンクリソースを選択する。その次に、前記ＵＥは、選択された搬送波の選択されたリソース上においてＳＣＩ及びデータを送信する。このように、前述したステップが繰り返されることがある。
【０１８２】
本発明の一実施形態によると、搬送波選択は、前記ＵＥが搬送波と関連したソースプールを選択することもあることを示す。
【０１８３】
図６は、本発明の一実施形態による搬送波を選択する方法の例を示す。
【０１８４】
前記ネットワークは、セルに対するＣＢＲ臨界値及び搬送波に関する情報を指示することができる。例えば、前記ネットワークは、セルに対するＣＢＲ臨界値として０．３を指示し、前記ネットワークは、搬送波♯１、搬送波♯２、搬送波♯３、及び搬送波♯４を指示することができる。図６において、搬送波♯１はリソースプール♯１に対応し、搬送波♯２はリソースプール♯２に対応し、搬送波♯３はリソースプール♯３に対応し、搬送波♯４はリソースプール♯４に対応し得る。
【０１８５】
図６に示すように、前記指示された搬送波は次のようにＣＢＲ値を提供する。
【０１８６】
−搬送波♯１のＣＢＲ値＝０．４
【０１８７】
−搬送波♯２のＣＢＲ値＝０．１
【０１８８】
−搬送波♯３のＣＢＲ値＝０．２
【０１８９】
−搬送波♯４のＣＢＲ値＝０．６
【０１９０】
本発明の一実施形態によると、前記ＵＥは、ＣＢＲ値がＣＢＲ臨界値未満である搬送波を選択することができる。前記ＵＥが、例えば、Ｌ２バッファでの送信に利用可能なデータの量に基づいて２つの搬送波が選択されるべきであると決定した場合、前記ＵＥは、搬送波♯２や搬送波♯３を選択する。一方、前記ＵＥが、１つの搬送波のみが選択されるべきであると判断した場合、前記ＵＥは搬送波のＣＢＲ値の順で搬送波を選択する。具体的に、前記ＵＥは、最も低いＣＢＲ値から高いＣＢＲ値まで順番に各搬送波上においてデータを占有する。本発明の実施形態において、前記ＵＥは、より小さいＣＢＲ値を提供する搬送波♯２を選択する。
【０１９１】
図７は、本発明の一実施形態による搬送波を選択する方法の例を示す。
【０１９２】
本発明の実施形態において、前述したリソースプールは、ＳＰＳ設定又は活性化されたＳＰＳ設定の割り当てリソースの集合に代替できる。すなわち、搬送波♯１はＳＰＳ設定♯１に対応し、搬送波♯２はＳＰＳ設定♯２に対応し、搬送波♯３はＳＰＳ設定♯３に対応し、搬送波♯４はＳＰＳ設定♯４に対応し得る。従って、実施形態は、図７に示すように多数のＳＰＳ設定のための搬送波の選択に適用できる。例えば、ＣＢＲ値が前記ＵＥに知られている場合、ＵＥは、活性化されたＳＰＳ設定の指示された搬送波のうちＣＢＲ値が臨界値未満である１つ以上の搬送波又は１つ以上の活性化されたＳＰＳ設定を（任意に）選択することができる。
【０１９３】
図８は、本発明の一実施形態による搬送波を選択する方法のフローチャートを示す。
【０１９４】
ステップＳ８０２で、前記ＵＥは、ネットワークから搬送波及びチャネル混雑度（ＣＢＲ）臨界値に関する情報を受信する。前記ＣＢＲ臨界値は、ＵＥ、セル、搬送波、又は周波数帯域ごとに提供される。
【０１９５】
ステップＳ８０４で、前記ＵＥは、ＣＢＲ値が前記ＣＢＲ臨界値未満である少なくとも１つの搬送波を選択する。このために、前記ＵＥは、前記ネットワークにより指示された搬送波のＣＢＲ値を測定するか、前記ネットワークにより指示された搬送波のＣＢＲ値を前記ネットワークから受信する。前記少なくとも１つの搬送波は受信及び送信のために分離される結合搬送波であり得る。
【０１９６】
ステップＳ８０６で、前記ＵＥは、前記選択された搬送波上においてリソースを選択する。
【０１９７】
ステップＳ８１０で、前記ＵＥは、前記選択された搬送波の前記選択されたリソースを利用して媒体アクセス制御（ＭＡＣ）パケットデータユニット（ＰＤＵ）を送信する。前記ＭＡＣ  ＰＤＵは、サイドリンク送信に関連し得る。
【０１９８】
また、前記ＵＥは、送信に利用可能なデータの量に基づいてどれだけ多くの搬送波が選択されるかを決定することができる。選択されることと決定された搬送波の数が、ＣＢＲ値がＣＢＲ臨界値より低い搬送波の数より大きい場合、前記ＵＥは、ＣＢＲ値がＣＢＲ臨界値よりも大きい搬送波のうち少なくとも１つの追加搬送波を選択する。前記ＵＥは、追加搬送波のＣＢＲ値の手順で少なくとも１つの追加搬送波を選択する。
【０１９９】
本発明の一実施形態によると、ＵＥのＭＡＣエンティティは次のように動作する。前記ＭＡＣエンティティは、ＣＢＲ測定結果が利用可能な場合は３ＧＰＰ  ＴＳ  ３６．２１４［６］によって搬送波のＣＢＲが下位層により測定されたとみなすか、ＣＢＲ測定結果が利用不可能な場合は搬送波のために上位層により設定されたｄｅｆａｕｌｔＴｘＣｏｎｆｉｇＩｎｄｅｘを利用する。
【０２００】
前記ＭＡＣエンティティは：
【０２０１】
−前記ＭＡＣエンティティが３ＧＰＰ  ＴＳ  ３６．３３１［８］の下位条項５．１０．１３．１に指示された通り、１つ以上の搬送波上でのリソースプールを利用して送信するように上位層により設定され、データがＳＴＣＨにおいて利用可能である場合（すなわち、初期Ｔｘ搬送波を選択）：
【０２０２】
−データが利用可能な各サイドリンク論理チャネルの場合：
【０２０３】
−該当サイドリンク論理チャネルと関連した上位層（３ＧＰＰ  ＴＳ  ２４．３８６［１５］）により設定された各搬送波である場合：
【０２０４】
−前記搬送波のＣＢＲがサイドリンク論理チャネルの優先順位と関連したｔｈｒｅｓｈＣＢＲ−ＦｒｅｑＲｅｓｅｌｅｃｔｉｏｎ未満である場合：
【０２０５】
−前記搬送波が当該サイドリンク論理チャネルに対するＴＸ搬送波（再）選択のための候補搬送波であるとみなす。
【０２０６】
−そうではなく、３ＧＰＰ  ＴＳ  ３６．３３１［８］の下位条項５．１０．１３．１で指示された通り、１つ以上の搬送波上でのリソースプールを利用して送信するように前記ＭＡＣエンティティが上位層により設定され、ＴＸ搬送波再選択が下位条項５．１４．１．１による搬送波関連プロセス（すなわち、Ｔｘ搬送波再選択）のためにトリガーされる場合：
【０２０７】
−データが利用可能であり、Ｔｘ搬送波（再）選択がトリガーされる搬送波上において許容される各サイドリンク論理チャネルの場合：
【０２０８】
−上位層により設定された各搬送波の場合、前記搬送波のＣＢＲがサイドリンク論理チャネルの優先順位と関連したｔｈｒｅｓｈＣＢＲ−ＦｒｅｑＲｅｓｅｌｅｃｔｉｏｎ未満である場合：
【０２０９】
−前記搬送波がＴＸ搬送波（再）選択のための候補搬送波であるとみなす。
【０２１０】
前記ＭＡＣエンティティは：
【０２１１】
−１つ以上の搬送波がＴＸ搬送波（再）選択のための候補搬送波であると見なされる場合：
【０２１２】
−データが利用可能であり、Ｔｘ搬送波（再）選択がトリガーされる搬送波上において許容される各サイドリンク論理チャネルの場合、最も低いＣＢＲからＣＢＲの昇順に候補搬送波のうち１つ以上の搬送波（ら）及び連関したリソースプール（ら）を選択する；
【０２１３】
図９は、本発明の一実施形態を実現するための通信システムを示す。
【０２１４】
端末９００は、プロセッサ（ｐｒｏｃｅｓｓｏｒ）９１０、メモリ（ｍｅｍｏｒｙ）９２０、及び送受信機（ｔｒａｎｓｃｅｉｖｅｒ）９３０を含む。メモリ９２０は、プロセッサ９１０と接続されて、プロセッサ９１０を駆動するための様々な情報を格納する。送受信機９３０は、プロセッサ９１０と接続されて、無線信号を送信及び／又は受信する。プロセッサ９１０は、提案された機能、過程及び／又は方法を実現する。前述した実施形態において、第１ネットワークノードの動作はプロセッサ９１０により実現されることができる。
【０２１５】
ネットワークノード９１０は、プロセッサ９１１、メモリ９１２、及び送受信機９１３を含む。メモリ９１２は、プロセッサ９１１と接続されて、プロセッサ９１１を駆動するための様々な情報を格納する。送受信機９１３は、プロセッサ９１１と接続されて、無線信号を送信及び／又は受信する。プロセッサ９１１は、提案された機能、過程、及び／又は方法を実現する。前述した実施形態において、第２ネットワークノード９１０の動作はプロセッサ９１１により実現されることができる。
【０２１６】
プロセッサ９１１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。送受信機は、無線信号を処理するためのベースバンド回路を含むことができる。実施形態がソフトウェアで実現されるとき、前述した技法は、前述した機能を行うモジュール（過程、機能など）で実現されることができる。モジュールは、メモリに格納され、プロセッサにより実行されることができる。メモリは、プロセッサの内部又は外部にあり、よく知られた多様な手段でプロセッサと接続されることができる。
【０２１７】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で実現されるか、または異なるステップやブロックと同時に実行されることが可能である。また、通常の技術者であれば、各ステップやブロックが限定的に記述されたものではなく、発明の保護範囲に影響を与えない範囲内で少なくとも１つの他のステップが追加されるか削除されることが可能であるということを理解することができる。
【０２１８】
前述した実施形態は多様な一例を含む。通常の技術者であれば、発明の全ての可能な一例の組み合わせが説明されることができないという点を理解ことができ、また、本明細書の技術から多様な組み合わせが派生することができるという点を理解することができる。従って、発明の保護範囲は、請求の範囲に記載された範囲を外れない範囲内で、詳細な説明に記載された多様な一例を組み合わせて判断しなければならない。
【図１】
2020529158.tif 000003
【図２】
2020529158.tif 000004
【図３】
2020529158.tif 000005
【図４】
2020529158.tif 000006
【図５】
2020529158.tif 000007
【図６】
2020529158.tif 000008
【図７】
2020529158.tif 000009
【図８】
2020529158.tif 000010
【図９】
2020529158.tif 000011
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
無線通信システムにおける無線装置の為の方法であって、
少なくとも１つの候補搬送波のＣＢＲ値の昇順において、少なくとも１つの候補搬送波に関連した１つ以上の搬送波を選択するステップと、
前記１つ以上の搬送波上のサイドリンクリソースを選択するステップと、
前記サイドリンクリソースに基づいて媒体アクセス制御（ＭＡＣ）パケットデータユニット（ＰＤＵ）を送信するステップと、を含んでなることを特徴とする、無線装置の為の方法。
【請求項２】
前記ＭＡＣ  ＰＤＵは、サイドリンク送信と関連していることを特徴とする、請求項１に記載の無線装置の為の方法。
【請求項３】
前記少なくとも１つの候補搬送波は、ＣＢＲ（Channel busy ratio）臨界値より低いＣＢＲ値を有する、請求項１に記載の無線装置の為の方法。
【請求項４】
前記ＣＢＲ値は、前記無線装置により測定されてなり、及び／又は、
ネットワークから受信されてなるものであることを特徴とする、請求項３に記載の無線装置の為の方法。
【請求項５】
前記ＣＢＲ臨界値は、ネットワーク、セル、搬送波、又は周波数帯域ごとに提供されることを特徴とする、請求項３に記載の無線装置の為の方法。
【請求項６】
前記１つ以上の搬送波の設定は、前記ネットワークから受信によるものであることを特徴とする、請求項１に記載の無線装置の為の方法。
【請求項７】
選択されるべき搬送波の数を決定するステップをさらに含むことを特徴とする、請求項１に記載の無線装置の為の方法。
【請求項８】
ＣＢＲ値は、前記少なくとも１つの候補搬送波の数より大きい、前記選択されるべき搬送波の数に基づいて前記１つ以上の搬送波のうち前記ＣＢＲ臨界値より大きいものである、少なくとも１つの追加搬送波を選択するステップをさらに含むことを特徴とする、請求項７に記載の無線装置の為の方法。
【請求項９】
前記選択されるべき搬送波の数は、送信に利用可能なデータの量に基づいて決定することを特徴とする、請求項７に記載の無線装置の為の方法。
【請求項１０】
無線通信システムにおける無線装置であって、
無線信号を送信又は受信するための送受信機と、
前記送受信機に接続されたプロセッサとを備えてなり、
前記無線装置は、
少なくとも１つの候補搬送波のＣＢＲ値の昇順において、少なくとも１つの候補搬送波に関連した１つ以上の搬送波を選択し、
前記１つ以上の搬送波上のサイドリンクリソースを選択し、
前記サイドリンクリソースに基づいて媒体アクセス制御（ＭＡＣ）パケットデータユニット（ＰＤＵ）を送信することにより構成されてなることを特徴とする、無線装置。
【請求項１１】
前記ＭＡＣ  ＰＤＵは、サイドリンク送信と関連していることを特徴とする、請求項１０に記載の無線装置。
【請求項１２】
前記少なくとも１つの候補搬送波は、ＣＢＲ（Channel busy ratio）臨界値より低いＣＢＲ値を有することを特徴とする、請求項１０に記載の無線装置。
【請求項１３】
前記ＣＢＲ値は、前記無線装置により測定されてなり、及び／又は、
ネットワークから受信されてなるものであることを特徴とする、請求項１０に記載の無線装置。
【請求項１４】
前記ＣＢＲ臨界値は、ネットワーク、セル、搬送波、又は周波数帯域ごとに提供されることを特徴とする、請求項１０に記載の無線装置。
【請求項１５】
前記１つ以上の搬送波の設定は、前記ネットワークから受信されてなることを特徴とする、請求項１０に記載の無線装置。
【国際調査報告】
2020529158.tif 000012
2020529158.tif 000013